(57)【要約】      （修正有）【課題】背景模様に個別情報を含む印刷物とその作成方法及び作成装置並びに印刷物の真偽判定方法とその真偽判定装置とを提供する。【解決手段】  印刷物上の背景模様に個別情報を含ませるステップと、前記個別情報を基本図形上に形成する情報領域に変換し基本図形を背景領域と情報領域に区分けするステップと、データベースから読み込まれた基本図形に含まれる線画オブジェクトをメモリーに記録するステップと、線画オブジェクトＯｂの中心線からの移動距離Ｍの設定を行うステップと、移動距離Ｍの適用部分に適用処理を行うステップとを備え、前記適用処理を行うステップにおいて、情報領域に形成している線画オブジェクトＯｂに前記移動距離を適用する際、個々の線画オブジェクトＯｂ同士の最短距離を、移動距離Ｍを適用する前の状態と略同じ距離に保つ処理を行うことを特徴とする印刷物を作成する。【選択図】  図１２
2007233549.tif 000002
【特許請求の範囲】
【請求項１】
背景模様２の画線の基本図形が、複数の直線及び曲線を組み合わせた線画オブジェクトＯｂ１、Ｏｂ２・・・・Ｏｂｍで構成するものであって、前記線画オブジェクトＯｂ１、Ｏｂ２・・・・Ｏｂｍには、前記基本図形の形状ｋ１、ｋ２・・・・ｋｍと、中心線から所定の向きに所定量移動する移動距離Ｍと、画線幅Ｗ１、Ｗ２・・・・Ｗｍとを含むとき、
個別情報Ｓを基本図形１上に形成する情報領域Ｇ２に変換し基本図形１を背景領域Ｇ１と情報領域Ｇ２に区分けするステップｆ２２と、
データベースから読み込まれた基本図形１に含まれる線画オブジェクトＯｂ１、Ｏｂ２・・・・ＯｂｍをデータベースＵ２ｂから読み込むステップｆ５と、
線画オブジェクトＯｂの中心線からの移動距離Ｍの設定を行うステップｆ２３と、移動距離Ｍの適用部分に適用処理を行うステップｆ２４とを備え、
前記適用処理を行うステップｆ２４において、情報領域Ｇ２に形成された線画オブジェクトＯｂに前記移動距離を適用する際、個々の線画オブジェクトＯｂ同士の最短距離を、移動距離Ｍを適用する前の状態と略同じ距離に保つために（ａ）〜（ｆ）のいずれかのイメージング３処理を行うステップｆ７によって作成されることを特徴とする印刷物の作成方法。
（ａ）線画オブジェクトＯｂｉとその次に並ぶ線画オブジェクトＯｂｉ＋１から成る開図形同士の組合せであり、前記線画オブジェクトＯｂｉにおいて点ａと点ｂを結ぶ傾きｍ１と、前記線画オブジェクトＯｂｉ＋１において点ｃと点ｄを結ぶ傾きｍ２の差が９０度以下の角度であるとき、前記移動距離は、前記線画オブジェクトＯｂｉと前記線画オブジェクトＯｂｉ＋１とも中心線に対し略同じ法線方向とし、前記線画オブジェクトＯｂｉと前記線画オブジェクトＯｂｉ＋１との最短距離Ｌ１と、前記移動距離を適用した後の最短距離Ｌ２が略同じ距離を保つこと。
（ｂ）線画オブジェクトＯｂｉとその次に並ぶ線画オブジェクトＯｂｉ＋１から成る開図形同士の組合せであり、前記線画オブジェクトＯｂｉと前記線画オブジェクトＯｂｉ＋１は交差の関係にあって、前記線画オブジェクトＯｂｉにおける点ａと点ｄの傾きｍ１と、前記線画オブジェクトＯｂｉ＋１における点ｃと点ｂの傾きｍ２の差が９０度以下の角度のとき、なおかつ前記線画オブジェクトＯｂｉと前記線画オブジェクトＯｂｉ＋１の交差点Ｐ１と、線画オブジェクトＯｂｉの点ａと、前記線画オブジェクトＯｂｉ＋１の点ｂから成る扇形の領域内に、交差点Ｐ２が設定されるように、前記線画オブジェクトＯｂｉと前記線画オブジェクトＯｂｉ＋１とも中心線からの法線方向に前記移動距離を保つこと。
（ｃ）開図形の線画オブジェクトＯｂｉとその次に並ぶ閉図形の線画オブジェクトＯｂｉ＋１の組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の内側に適用することにより、前記線画オブジェクトＯｂｉと前記線画オブジェクトＯｂｉ＋１との最短距離Ｌ１と、前記移動距離Ｍを適用した後の最短距離Ｌ２は略同じ距離を保つこと。
（ｄ）開図形の線画オブジェクトＯｂｉと閉図形の線画オブジェクトＯｂｉ＋１が重なるような組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の外側に適用することにより、前記線画オブジェクトＯｂｉと前記線画オブジェクトＯｂｉ＋１との最短距離Ｌ１と、前記移動距離を適用した後の最短距離Ｌ２は略同じ距離を保つこと。
（ｅ）線画オブジェクトＯｂｉとその次に並ぶ線画オブジェクトＯｂｉ＋１から成る閉図形同士の組合せであり、閉図形から成る線画オブジェクトＯｂｉを中心線に対し法線方向に前記移動距離を閉図形の外側に適用することによって、閉図形から成る線画オブジェクトＯｂｉ＋１に近づいたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
（ｆ）線画オブジェクトＯｂｉとその次に並ぶ線画オブジェクトＯｂｉ＋１から成る閉図形同士が重なるような組合せであり、閉図形から成る線画オブジェクトＯｂｉを中心線に対し法線方向に前記移動距離を閉図形の外側に適用することによって、閉図形から成る前記線画オブジェクトＯｂｉ＋１から離れたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
【請求項２】
個別情報の入力を行うステップｆ１と、
前記個別情報をコード化しコンピュータで処理可能な個別情報Ｓを作成するステップｆ２と、
背景模様２を記憶部Ｕ２のデータベースＵ２ｂから読み込むステップｆ５と、
前記背景模様２に個別情報Ｓを含ませるステップｆ７と、
前記個別情報Ｓを含む前記背景模様２を印刷するステップｆ９とを備えることを特徴とする請求項１の印刷物の作成方法。
【請求項３】
個別情報の入力を行うステップｆ１と、
前記個別情報をコード化しコンピュータで処理可能な個別情報６を作成するステップｆ３と、
前記個別情報Ｓと個別情報６との相関の情報が、コンピュータ端末に接続された記憶部Ｕ２のデータベースＵ２ａに登録されるステップｆ４と、
テキスト５を記憶部Ｕ２のデータベースＵ２ｃから読み込むステップｆ６と、
前記テキスト５の中に前記他方の個別情報６を含ませるステップｆ８と、
前記個別情報６を含むテキスト５を印刷するステップｆ１０とを備えることを特徴とする請求項２の印刷物の作成方法。
【請求項４】
個別情報を入力するステップｆ１と、
前記個別情報をコード化しコンピュータで処理可能な個別情報６を作成するステップｆ３と、
一方、印刷物Ｐの画像情報を取得するステップｆ１１と、
前記印刷物Ｐを解析するステップｆ１２と、
前記印刷物Ｐに含まれる個別情報Ｓを抽出するステップｆ１３と、
前記一方の個別情報Ｓと前記他方の個別情報６との相関の情報が、コンピュータ端末に接続された記憶部Ｕ２のデータベースＵ２ａに登録されるステップｆ４と、
前記テキスト５を記憶部Ｕ２のデータベースＵ２ｃから読み込むステップｆ６と、
前記テキスト５の中に前記他方の個別情報６を含ませるステップｆ８にて処理したイメージを、前記印刷物Ｐに印刷するステップｆ１４とを備えることを特徴とする請求項１の印刷物の作成方法。
【請求項５】
前記背景模様２の画線の基本図形が、複数の直線及び曲線を組み合わせた線画オブジェクトＯｂ１、Ｏｂ２・・・・Ｏｂｍで構成するものであって、前記線画オブジェクトＯｂ１、Ｏｂ２・・・・Ｏｂｍには、前記基本図形の形状ｋ１、ｋ２・・・・ｋｍと、中心線から所定の向きに所定量移動する移動距離Ｍと、画線幅Ｗ１、Ｗ２・・・・Ｗｍとを含むとき、
前記線画オブジェクト中に前記移動距離を適用していない図形領域を第１の領域、前記線画オブジェクト中に前記移動距離を適用している図形領域を第２の領域とし、
前記背景模様２の画線の基本図形において、情報領域Ｇ２に形成している線画オブジェクトＯｂに前記移動距離を適用する際、個々の線画オブジェクトＯｂ同士の最短距離を、移動距離Ｍを適用する前の状態と略同じ距離に保つために（ａ）〜（ｆ）のいずれかの関係を有することを特徴とする印刷物。
（ａ）線画オブジェクトＯｂｉとその次に並ぶ線画オブジェクトＯｂｉ＋１から成る開図形同士の組合せであり、前記線画オブジェクトＯｂｉにおいて点ａと点ｂを結ぶ傾きｍ１と、前記線画オブジェクトＯｂｉ＋１において点ｃと点ｄを結ぶ傾きｍ２の差が９０度以下の角度であるとき、前記移動距離は、前記線画オブジェクトＯｂｉと前記線画オブジェクトＯｂｉ＋１とも中心線に対し略同じ法線方向とし、前記線画オブジェクトＯｂｉと前記線画オブジェクトＯｂｉ＋１との最短距離Ｌ１と、前記移動距離を適用した後の最短距離Ｌ２が略同じ距離を保つこと。
（ｂ）線画オブジェクトＯｂｉとその次に並ぶ線画オブジェクトＯｂｉ＋１から成る開図形同士の組合せであり、前記線画オブジェクトＯｂｉと前記線画オブジェクトＯｂｉ＋１は交差の関係にあって、前記線画オブジェクトＯｂｉにおける点ａと点ｄの傾きｍ１と、前記線画オブジェクトＯｂｉ＋１における点ｃと点ｂの傾きｍ２の差が９０度以下の角度のとき、なおかつ前記線画オブジェクトＯｂｉと前記線画オブジェクトＯｂｉ＋１の交差点Ｐ１と、線画オブジェクトＯｂｉの点ａと、前記線画オブジェクトＯｂｉ＋１の点ｂから成る扇形の領域内に、交差点Ｐ２が設定されるように、前記線画オブジェクトＯｂｉと前記線画オブジェクトＯｂｉ＋１とも中心線からの法線方向に前記移動距離を保つこと。
（ｃ）開図形の線画オブジェクトＯｂｉとその次に並ぶ閉図形の線画オブジェクトＯｂｉ＋１の組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の内側に適用することにより、前記線画オブジェクトＯｂｉと前記線画オブジェクトＯｂｉ＋１との最短距離Ｌ１と、前記移動距離Ｍを適用した後の最短距離Ｌ２は略同じ距離を保つこと。
（ｄ）開図形の線画オブジェクトＯｂｉと閉図形の線画オブジェクトＯｂｉ＋１が重なるような組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の外側に適用することにより、前記線画オブジェクトＯｂｉと前記線画オブジェクトＯｂｉ＋１との最短距離Ｌ１と、前記移動距離を適用した後の最短距離Ｌ２は略同じ距離を保つこと。
（ｅ）線画オブジェクトＯｂｉとその次に並ぶ線画オブジェクトＯｂｉ＋１から成る閉図形同士の組合せであり、閉図形から成る線画オブジェクトＯｂｉを中心線に対し法線方向に前記移動距離を閉図形の外側に適用することによって、閉図形から成る線画オブジェクトＯｂｉ＋１に近づいたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
（ｆ）線画オブジェクトＯｂｉとその次に並ぶ線画オブジェクトＯｂｉ＋１から成る閉図形同士が重なるような組合せであり、閉図形から成る線画オブジェクトＯｂｉを中心線に対し法線方向に前記移動距離を閉図形の外側に適用することによって、閉図形から成る前記線画オブジェクトＯｂｉ＋１から離れたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
【請求項６】
印刷物の印刷面に背景模様２とテキスト５を少なくとも備え、前記背景模様２に不可視の個別情報Ｓを含み、前記テキスト５に可視の個別情報６を含み、前記不可視の個別情報Ｓと前記可視の個別情報６との相関の情報が、コンピュータ端末に接続された記憶部ＵのデータベースＵ２ａに登録されていることを特徴とする請求項５の印刷物。
【請求項７】
操作者からの入力を受け付けて操作内容を演算部Ｕ１に与える入力部Ｕ４と、
入力された個別情報をもとにコンピュータで処理可能な個別情報Ｓ及び個別情報６の作成を行う解析部Ｕ１ａと、
前記個別情報Ｓを含む前記背景模様２の作成及び前記個別情報６を含むテキスト５の作成を行う画像処理部Ｕ１ｂとを備えた前記演算部Ｕ１と、
前記演算部Ｕ１の演算に必要な各種データ及びその演算結果、及び前記個別情報Ｓと前記個別情報６の相関を登録するためのデータベースＵ２ａと、
あらかじめ登録されている前記背景模様２の前記データベースＵ２ｂと、
あらかじめ登録されているテキスト５のデータベースＵ２ｃとで構成している記憶部Ｕ２と、
コンピュータ端末と前記演算部Ｕ１とを接続し、必要に応じて前記コンピュータ端末と前記演算部Ｕ１との間で情報の転送を行う通信インタフェースＵ３と、
前記個別情報Ｓ乃至前記個別情報６が配置されたものを印刷し印刷物を得る印刷部Ｕ５を備えていることを特徴とする印刷物の作成装置。
【請求項８】
不可視の前記個別情報Ｓを含む背景模様２と可視の個別情報６を含むテキスト５を有する印刷部において、
前記印刷物の画像情報を取得するステップｆ１５と、
取得した画像情報から前記個別情報Ｓを解析するステップｆ１２と、
並行して前記個別情報６を解析するステップｆ１６と、
前記個別情報Ｓを抽出するステップｆ１３と、
並行して前記個別情報６を抽出するステップｆ１７と、
前記個別情報Ｓと前記個別情報６をデータベースの登録データと照会を行うステップｆ１８において、前記背景模様２に含まれる不可視の前記個別情報Ｓと、
前記テキスト５に含まれる可視の個別情報６とが相関しているか否かを判定するステップｆ１９とを備えていることを特徴とする印刷物の真偽判定方法。
【請求項９】
不可視の前記個別情報Ｓを含む前記背景模様２と可視の前記個別情報６を含む前記テキスト５を有する機械読み取り用の印刷物において、
取得した画像情報から前記個別情報Ｓを解析するステップｆ１２が、
取得した印刷物の画像情報のアフィン変換をするステップｆ２５と、
基本図形１の形状をもとにした画像情報から成るテンプレートＢ２を記憶部Ｕ１０のデータベースＵ１０ａから読み込むステップｆ２６と、
基本図形のテンプレートＢ２と印刷物の画像情報のマッチングを行うステップｆ２７と、
並行して、ステップｆ１５で取得した印刷物の画像情報からテキスト５に含まれる個別情報６部分の切り出しを行うステップｆ２８と、
光学式読み取り処理を行うステップｆ２９とを備えていることを特徴とする請求項８の印刷物の真偽判定方法。
【請求項１０】
一つの基本図形１をもとに、一方は複数の直線及び曲線を組み合わせた背景模様２を有し、前記背景模様２中に第１の領域と第２の領域とを成すことによって不可視の個別情報Ｓを形成し、前記背景模様２に含まれる前記個別情報Ｓと、テキスト５に含まれる可視の個別情報６とが所定相関を成す印刷物と、
もう一方は前記基本図形１の形状をそのままに、フィルム、ガラス、プラスチック板等、透明の素材に印刷したチェックシートを、同サイズの印刷面が略一致するように重ね合わせると、前記印刷物における前記第１の領域と前記第２の領域に相違が生じることにより、前記背景模様２に含まれる前記個別情報Ｓと、前記テキスト５に含まれる前記個別情報６との相関を確認することを特徴とする個別情報の真偽判定方法。
【請求項１１】
操作者からの入力を受け付けて操作内容を演算部Ｕ１に与える入力部Ｕ４と、
印刷物を与えられて搬送し読み取り部Ｕ８に供給する搬送部Ｕ７と、
搬送部Ｕ７によって搬送されてきた前記印刷物の表面上の画像情報を取得する読み取り部Ｕ８と、
取得された画像情報に対し、前記印刷物の画像情報の前処理を実施する解析部Ｕ９ａと、
前記印刷物の画像情報から個別情報Ｓ及び個別情報６の抽出を行う前記画像処理部Ｕ９ｂと、真正な印刷物において存在する個別情報Ｓと個別情報６の相関を判定する判定部Ｕ９ｃとを有する演算部Ｕ９と、
前記演算部Ｕ９の演算に必要な各種データ及びその演算結果及び前記個別情報Ｓと前記個別情報６の相関を判定するためのデータベースＵ２ａと、
あらかじめ登録されている前記背景模様２の前記データベースＵ２ｂと、
あらかじめ登録されているテキスト５のデータベースＵ２ｃとで構成している記憶部Ｕ２と、
コンピュータ端末と前記演算部Ｕ２とを接続し、必要に応じて前記コンピュータ端末と前記演算部Ｕ２との間で情報の転送を行う通信インタフェースＵ３と、
記憶部Ｕ１０に登録されているデータベースＵ２ａの登録データと対比して、前記個別情報Ｓと前記個別情報６の相関を判定し、真偽判定結果を表示する表示部Ｕ６とを備えていることを特徴とする印刷物の真偽判定装置。
【発明の詳細な説明】
【技術分野】
【０００１】
銀行券、株券、債券、その他の有価証券類及び証明書等の偽造防止を目的に使用される背景模様の作成と、背景線画地紋模様の真偽判定方法とその装置に関するものである。
【背景技術】
【０００２】
一般的に証明書類では、偽造防止効果を与えるため様々な技術が適用されている。しかし、主にテキスト印刷で発行される証明書類は、どこでも発行できるという高い利便性があると同時に、製品構成がシンプルな故に改ざんも容易で偽造防止効果の寿命が短いという問題がある。少しでも偽造防止効果の寿命を長くするにはシステムを含めたセキュリティーが重要である。
【０００３】
一般的な真偽判定方法としては、印刷物中の真偽判定要素を目視で判定する方法の他、対象となる印刷物を真正物若しくは真正情報と比較照合する方法がある。今日では主にチェックシートと呼ばれる補助具を用いて目視で確認する方法や、テンプレート・マッチングと呼ばれるコンピュータ画像処理を用いて機械的に確認する方法が広く普及している。また、前記印刷物の作製においても、ドキュメント・データ（書類データ）から製版工程を介さずに直接印刷できるオンデマンド印刷と称する技術が一般化し、かつて同一大量生産だった印刷物に対し、１枚ごとに固有の情報や前記真偽判定要素を施すことが可能になった。
【０００４】
チェックシートを用いる代表的な方法は、チェックシートの形態が平行線スクリーンを印刷した透明シートであったりレンチキュラレンズであったりする。これらの代表的な技術は図２１に示すものである。例えば図２１（１）は、印刷物Ｐ１中に施された等間隔を成す平行線の線画地紋模様Ａを、背景領域ａ１と潜像領域ａ２に区分けし、背景領域ａ１の線画地紋模様Ａ’と潜像領域ａ２の線画地紋模様Ａ”には、意図的に位相差を設けることによって隠し情報を設けている。この印刷物Ｐ１の上に、図２１（２）に示すように、線画地紋模様Ａと同じ間隔を有する平行線の線画地紋模様Ｂを印刷した透明シート状のチェックシートＰ２を乗せると、図２１（３）に示すように、背景領域ａ１と潜像領域ａ２にそれぞれ異なるモアレ現象を生ずることによって、目視によって真偽判定を可能にするものである。なお、線画地紋模様Ａ及び線画地紋模様Ｂは等間隔の網点であっても同様の効果を奏するものである。
【０００５】
前記チェックシートによる方式を拡張した方法として特開２００３−１７５６６４号公報（特許文献１）の「印刷物用照合要素」においては、請求項４によると「印刷物特に有価証券等用の照合要素であって、その照合要素が第一図形と第二図形とを有していて；その第一図形は、前記印刷物の第一面に印刷され、少なくとも第一幾何学的図形セットを備えていて、その第二図形は、該第一図形に対面しかつ整合するように前記印刷物の第二面に印刷され、少なくとも第一スクリーンに対応する第二幾何学的図形セットを備えている照合要素において；前記幾何学的図形セットの少なくとも一つが、オフセットしたセクタを含んでいて、該第一面／該第二面の整合が正しい場合、該照合要素は、透過光において目視可能でかつ前記オフセットしたセクタにより作られる可変濃度領域を有しているところの照合要素。」としていながらも、該発明では請求項４の特許性の脆弱さを補うが故、従属項にてその図形は平行線、同心の線、波形線及び規則的なスクリーンと述べている。即ち、チェックシートを用いる真偽判定方法は、意匠性に乏しい単純な模様でしかなく、複数の直線及び曲線を組み合わせた線画地紋模様を中心とする有価証券等偽造防止印刷物特有の高級感のあるデザインには不向きである。
【０００６】
また、オンデマンド印刷による印刷物に対し、固有の真偽判定要素を施す方法においても、印刷物に施す個別情報はスクリーン生成技術を用いた網点表現が主流であり、それ以外の方式では前述のような平行線、同心の線、波形線及び規則的なスクリーンといった単純な模様でしかない。例えば、特開２００２−２１８２１０号公報（特許文献２）の「偽造防止パターンの作製方法及び偽造防止印刷物」の請求項２によると、偽造防止パターンは矩形波形状、正弦波形状、鋸波形状としているが、いずれも線画地紋模様を成す形状は意匠性に乏しいものである。また、例えば、特開平９−２５１５２２号公報（特許文献３）の「記録物および記録／再生装置」の請求項項３によると付加情報を奏する図形は色差格子パターンとしている。従って、従来の技術は単純な形状の線画地紋模様であることから、線画デザインを中心とする有価証券等偽造防止印刷物特有の高級感のあるデザインには不向きである。
【０００７】
【特許文献１】特開２００３−１７５６６４号公報
【特許文献２】特開２００２−２１８２１０号公報
【特許文献３】特開平９−２５１５２２号公報
【発明の開示】
【発明が解決しようとする課題】
【０００８】
本発明は上述の問題点に鑑み、線画デザインを中心とする有価証券等、偽造防止用製品特有の高級感のあるデザインの印刷物において、背景模様に個別情報を含む印刷物とその作成方法及び作成装置並びに印刷物の真偽判定方法及び真偽判定装置とを提供することを目的とする。
【課題を解決するための手段】
【０００９】
本発明は、背景模様２の画線の基本図形が、複数の直線及び曲線を組み合わせた線画オブジェクトＯｂ１、Ｏｂ２・・・・Ｏｂｍで構成するものであって、前記線画オブジェクトＯｂ１、Ｏｂ２・・・・Ｏｂｍには、前記基本図形の形状ｋ１、ｋ２・・・・ｋｍと、中心線から所定の向きに所定量移動する移動距離Ｍと、画線幅Ｗ１、Ｗ２・・・・Ｗｍとを含むとき、
前記個別情報Ｓを基本図形１上に形成する情報領域Ｇ２に変換し基本図形１を背景領域Ｇ１と情報領域Ｇ２に区分けするステップｆ２２と、
データベースから読み込まれた基本図形１に含まれる線画オブジェクトＯｂ１、Ｏｂ２・・・・ＯｂｍをデータベースＵ２ｂから読み込むステップｆ５と、
線画オブジェクトＯｂの中心線からの移動距離Ｍの設定を行うステップｆ２３と、移動距離Ｍの適用部分に適用処理を行うステップｆ２４とを備え、
前記適用処理を行うステップｆ２４において、情報領域Ｇ２に形成している線画オブジェクトＯｂに前記移動距離を適用する際、個々の線画オブジェクトＯｂ同士の最短距離を、移動距離Ｍを適用する前の状態と略同じ距離に保つために（ａ）〜（ｆ）のいずれかのイメージング３処理を行うステップｆ７によって作成されることを特徴とする印刷物の作成方法である。
（ａ）線画オブジェクトＯｂｉとその次に並ぶ線画オブジェクトＯｂｉ＋１から成る開図形同士の組合せであり、前記線画オブジェクトＯｂｉにおいて点ａと点ｂを結ぶ傾きｍ１と、前記線画オブジェクトＯｂｉ＋１において点ｃと点ｄを結ぶ傾きｍ２の差が９０度以下の角度であるとき、前記移動距離は、前記線画オブジェクトＯｂｉと前記線画オブジェクトＯｂｉ＋１とも中心線に対し略同じ法線方向とし、前記線画オブジェクトＯｂｉと前記線画オブジェクトＯｂｉ＋１との最短距離Ｌ１と、前記移動距離を適用した後の最短距離Ｌ２が略同じ距離を保つこと。
（ｂ）線画オブジェクトＯｂｉとその次に並ぶ線画オブジェクトＯｂｉ＋１から成る開図形同士の組合せであり、前記線画オブジェクトＯｂｉと前記線画オブジェクトＯｂｉ＋１は交差の関係にあって、前記線画オブジェクトＯｂｉにおける点ａと点ｄの傾きｍ１と、前記線画オブジェクトＯｂｉ＋１における点ｃと点ｂの傾きｍ２の差が９０度以下の角度のとき、なおかつ前記線画オブジェクトＯｂｉと前記線画オブジェクトＯｂｉ＋１の交差点Ｐ１と、線画オブジェクトＯｂｉの点ａと、前記線画オブジェクトＯｂｉ＋１の点ｂから成る扇形の領域内に、交差点Ｐ２が設定されるように、前記線画オブジェクトＯｂｉと前記線画オブジェクトＯｂｉ＋１とも中心線からの法線方向に前記移動距離を保つこと。
（ｃ）開図形の線画オブジェクトＯｂｉとその次に並ぶ閉図形の線画オブジェクトＯｂｉ＋１の組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の内側に適用することにより、前記線画オブジェクトＯｂｉと前記線画オブジェクトＯｂｉ＋１との最短距離Ｌ１と、前記移動距離Ｍを適用した後の最短距離Ｌ２は略同じ距離を保つこと。
（ｄ）開図形の線画オブジェクトＯｂｉと閉図形の線画オブジェクトＯｂｉ＋１が重なるような組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の外側に適用することにより、前記線画オブジェクトＯｂｉと前記線画オブジェクトＯｂｉ＋１との最短距離Ｌ１と、前記移動距離を適用した後の最短距離Ｌ２は略同じ距離を保つこと。
（ｅ）線画オブジェクトＯｂｉとその次に並ぶ線画オブジェクトＯｂｉ＋１から成る閉図形同士の組合せであり、閉図形から成る線画オブジェクトＯｂｉを中心線に対し法線方向に前記移動距離を閉図形の外側に適用することによって、閉図形から成る線画オブジェクトＯｂｉ＋１に近づいたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
（ｆ）線画オブジェクトＯｂｉとその次に並ぶ線画オブジェクトＯｂｉ＋１から成る閉図形同士が重なるような組合せであり、閉図形から成る線画オブジェクトＯｂｉを中心線に対し法線方向に前記移動距離を閉図形の外側に適用することによって、閉図形から成る前記線画オブジェクトＯｂｉ＋１から離れたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
【００１０】
本発明は、個別情報の入力を行うステップｆ１と、
前記個別情報をコード化しコンピュータで処理可能な個別情報Ｓを作成するステップｆ２と、
背景模様２を記憶部Ｕ２のデータベースＵ２ｂから読み込むステップｆ５と、
前記背景模様２に個別情報Ｓを含ませるステップｆ７と、
前記個別情報Ｓを含む前記背景模様２を印刷するステップｆ９とを備えることを特徴とする前記印刷物の作成方法である。
【００１１】
本発明は、個別情報の入力を行うステップｆ１と、
前記個別情報をコード化しコンピュータで処理可能な個別情報６を作成するステップｆ３と、
前記個別情報Ｓと個別情報６との相関の情報が、コンピュータ端末に接続された記憶部Ｕ２のデータベースＵ２ａに登録されるステップｆ４と、
テキスト５を記憶部Ｕ２のデータベースＵ２ｃから読み込むステップｆ６と、
前記テキスト５の中に前記他方の個別情報６を含ませるステップｆ８と、
前記個別情報６を含むテキスト５を印刷するステップｆ１０とを備えることを特徴とする前記印刷物の作成方法である。
【００１２】
本発明は、個別情報を入力するステップｆ１と、
前記個別情報をコード化しコンピュータで処理可能な個別情報６を作成するステップｆ３と、
一方、印刷物Ｐの画像情報を取得するステップｆ１１と、
前記印刷物Ｐを解析するステップｆ１２と、
前記印刷物Ｐに含まれる個別情報Ｓを抽出するステップｆ１３と、
前記一方の個別情報Ｓと前記他方の個別情報６との相関の情報が、コンピュータ端末に接続された記憶部Ｕ２のデータベースＵ２ａに登録されるステップｆ４と、
前記テキスト５を記憶部Ｕ２のデータベースＵ２ｃから読み込むステップｆ６と、
前記テキスト５の中に前記他方の個別情報６を含ませるステップｆ８にて処理したイメージを、前記印刷物Ｐに印刷するステップｆ１４とを備えることを特徴とする前記印刷物の作成方法である。
【００１３】
本発明は、前記背景模様２の画線の基本図形が、複数の直線及び曲線を組み合わせた線画オブジェクトＯｂ１、Ｏｂ２・・・・Ｏｂｍで構成するものであって、前記線画オブジェクトＯｂ１、Ｏｂ２・・・・Ｏｂｍには、前記基本図形の形状ｋ１、ｋ２・・・・ｋｍと、中心線から所定の向きに所定量移動する移動距離Ｍと、画線幅Ｗ１、Ｗ２・・・・Ｗｍとを含むとき、
前記線画オブジェクト中に前記移動距離を適用していない図形領域を第１の領域、前記線画オブジェクト中に前記移動距離を適用している図形領域を第２の領域とし、
前記背景模様２の画線の基本図形において、情報領域Ｇ２に形成している線画オブジェクトＯｂに前記移動距離を適用する際、個々の線画オブジェクトＯｂ同士の最短距離を、移動距離Ｍを適用する前の状態と略同じ距離に保つために（ａ）〜（ｆ）のいずれかの関係を有することを特徴とする印刷物である。
（ａ）線画オブジェクトＯｂｉとその次に並ぶ線画オブジェクトＯｂｉ＋１から成る開図形同士の組合せであり、前記線画オブジェクトＯｂｉにおいて点ａと点ｂを結ぶ傾きｍ１と、前記線画オブジェクトＯｂｉ＋１において点ｃと点ｄを結ぶ傾きｍ２の差が９０度以下の角度であるとき、前記移動距離は、前記線画オブジェクトＯｂｉと前記線画オブジェクトＯｂｉ＋１とも中心線に対し略同じ法線方向とし、前記線画オブジェクトＯｂｉと前記線画オブジェクトＯｂｉ＋１との最短距離Ｌ１と、前記移動距離を適用した後の最短距離Ｌ２が略同じ距離を保つこと。
（ｂ）線画オブジェクトＯｂｉとその次に並ぶ線画オブジェクトＯｂｉ＋１から成る開図形同士の組合せであり、前記線画オブジェクトＯｂｉと前記線画オブジェクトＯｂｉ＋１は交差の関係にあって、前記線画オブジェクトＯｂｉにおける点ａと点ｄの傾きｍ１と、前記線画オブジェクトＯｂｉ＋１における点ｃと点ｂの傾きｍ２の差が９０度以下の角度のとき、なおかつ前記線画オブジェクトＯｂｉと前記線画オブジェクトＯｂｉ＋１の交差点Ｐ１と、線画オブジェクトＯｂｉの点ａと、前記線画オブジェクトＯｂｉ＋１の点ｂから成る扇形の領域内に、交差点Ｐ２が設定されるように、前記線画オブジェクトＯｂｉと前記線画オブジェクトＯｂｉ＋１とも中心線からの法線方向に前記移動距離を保つこと。
（ｃ）開図形の線画オブジェクトＯｂｉとその次に並ぶ閉図形の線画オブジェクトＯｂｉ＋１の組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の内側に適用することにより、前記線画オブジェクトＯｂｉと前記線画オブジェクトＯｂｉ＋１との最短距離Ｌ１と、前記移動距離Ｍを適用した後の最短距離Ｌ２は略同じ距離を保つこと。
（ｄ）開図形の線画オブジェクトＯｂｉと閉図形の線画オブジェクトＯｂｉ＋１が重なるような組合せであり、前記移動距離の適用によって開図形である前記線画オブジェクトＯｂｉが、閉図形である前記線画オブジェクトＯｂｉ＋１に近づいたとき、前記線画オブジェクトＯｂｉ＋１を中心線に対し法線方向に前記移動距離を閉図形の外側に適用することにより、前記線画オブジェクトＯｂｉと前記線画オブジェクトＯｂｉ＋１との最短距離Ｌ１と、前記移動距離を適用した後の最短距離Ｌ２は略同じ距離を保つこと。
（ｅ）線画オブジェクトＯｂｉとその次に並ぶ線画オブジェクトＯｂｉ＋１から成る閉図形同士の組合せであり、閉図形から成る線画オブジェクトＯｂｉを中心線に対し法線方向に前記移動距離を閉図形の外側に適用することによって、閉図形から成る線画オブジェクトＯｂｉ＋１に近づいたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
（ｆ）線画オブジェクトＯｂｉとその次に並ぶ線画オブジェクトＯｂｉ＋１から成る閉図形同士が重なるような組合せであり、閉図形から成る線画オブジェクトＯｂｉを中心線に対し法線方向に前記移動距離を閉図形の外側に適用することによって、閉図形から成る前記線画オブジェクトＯｂｉ＋１から離れたとき、前記線画オブジェクトＯｂｉ＋１を中心線に対し法線方向に前記移動距離を閉図形の内側に適用することにより、線画オブジェクトＯｂｉと線画オブジェクトＯｂｉ＋１との最短距離Ｌ１と、前記移動距離を適用した後の最短距離Ｌ２は略同じ距離を保つこと。
【００１４】
本発明は、印刷物の印刷面に背景模様２とテキスト５を少なくとも備え、前記背景模様２に不可視の個別情報Ｓを含み、前記テキスト５に可視の個別情報６を含み、前記不可視の個別情報Ｓと前記可視の個別情報６との相関の情報が、コンピュータ端末に接続された記憶部ＵのデータベースＵ２ａに登録されていることを特徴とする前記印刷物である。
【００１５】
本発明は、操作者からの入力を受け付けて操作内容を演算部Ｕ１に与える入力部Ｕ４と、
入力された個別情報をもとにコンピュータで処理可能な個別情報Ｓ及び個別情報６の作成を行う解析部Ｕ１ａと、
前記個別情報Ｓを含む前記背景模様２の作成及び前記個別情報６を含むテキスト５の作成を行う画像処理部Ｕ１ｂとを備えた前記演算部Ｕ１と、
前記演算部Ｕ１の演算に必要な各種データ及びその演算結果、及び前記個別情報Ｓと前記個別情報６の相関を登録するためのデータベースＵ２ａと、
あらかじめ登録されている前記背景模様２の前記データベースＵ２ｂと、
あらかじめ登録されているテキスト５のデータベースＵ２ｃとで構成している記憶部Ｕ２と、
コンピュータ端末と前記演算部Ｕ１とを接続し、必要に応じて前記コンピュータ端末と前記演算部Ｕ１との間で情報の転送を行う通信インタフェースＵ３と、
前記個別情報Ｓ乃至前記個別情報６が配置されたものを印刷し印刷物を得る印刷部Ｕ５を備えていることを特徴とする印刷物の作成装置である。
【００１６】
本発明は、不可視の前記個別情報Ｓを含む背景模様２と可視の個別情報６を含むテキスト５を有する印刷部において、
前記印刷物の画像情報を取得するステップｆ１５と、
取得した画像情報から前記個別情報Ｓを解析するステップｆ１２と、
並行して前記個別情報６を解析するステップｆ１６と、
前記個別情報Ｓを抽出するステップｆ１３と、
並行して前記個別情報６を抽出するステップｆ１７と、
前記個別情報Ｓと前記個別情報６をデータベースの登録データと照会を行うステップｆ１８において、前記背景模様２に含まれる不可視の前記個別情報Ｓと、
前記テキスト５に含まれる可視の個別情報６とが相関しているか否かを判定するステップｆ１９とを備えていることを特徴とする印刷物の真偽判定方法である。
【００１７】
本発明は、不可視の前記個別情報Ｓを含む前記背景模様２と可視の前記個別情報６を含む前記テキスト５を有する機械読み取り用の印刷物において、
取得した画像情報から前記個別情報Ｓを解析するステップｆ１２が、
取得した印刷物の画像情報のアフィン変換をするステップｆ２５と、
基本図形１の形状をもとにした画像情報から成るテンプレートＢ２を記憶部Ｕ１０のデータベースＵ１０ａから読み込むステップｆ２６と、
基本図形のテンプレートＢ２と印刷物の画像情報のマッチングを行うステップｆ２７と、
並行して、ステップｆ１５で取得した印刷物の画像情報からテキスト５に含まれる個別情報６部分の切り出しを行うステップｆ２８と、
光学式読み取り処理を行うステップｆ２９とを備えていることを特徴とする前記印刷物の真偽判定方法である。
【００１８】
本発明は、一つの基本図形１をもとに、一方は複数の直線及び曲線を組み合わせた背景模様２を有し、前記背景模様２中に第１の領域と第２の領域とを成すことによって不可視の個別情報Ｓを形成し、前記背景模様２に含まれる前記個別情報Ｓと、テキスト５に含まれる可視の個別情報６とが所定相関を成す印刷物と、
もう一方は前記基本図形１の形状をそのままに、フィルム、ガラス、プラスチック板等、透明の素材に印刷したチェックシートを、同サイズの印刷面が略一致するように重ね合わせると、前記印刷物における前記第１の領域と前記第２の領域に相違が生じることにより、前記背景模様２に含まれる前記個別情報Ｓと、前記テキスト５に含まれる前記個別情報６との相関を確認することを特徴とする個別情報の真偽判定方法である。
【００１９】
本発明は、操作者からの入力を受け付けて操作内容を演算部Ｕ９に与える入力部Ｕ４と、
印刷物を与えられて搬送し読み取り部Ｕ８に供給する搬送部Ｕ７と、
搬送部Ｕ７によって搬送されてきた前記印刷物の表面上の画像情報を取得する読み取り部Ｕ８と、
取得された画像情報に対し、前記印刷物の画像情報の前処理を実施する解析部Ｕ９ａと、
前記印刷物の画像情報から個別情報Ｓ及び個別情報６の抽出を行う前記画像処理部Ｕ９ｂと、真正な印刷物において存在する個別情報Ｓと個別情報６の相関を判定する判定部Ｕ９ｃとを有する演算部Ｕ９と、
前記演算部Ｕ９の演算に必要な各種データ及びその演算結果、及び前記個別情報Ｓと前記個別情報６の相関を判定するためのデータベースＵ２ａと、
あらかじめ登録されている前記背景模様２の前記データベースＵ２ｂと、
あらかじめ登録されているテキスト５のデータベースＵ２ｃとで構成している記憶部Ｕ２と、
コンピュータ端末と前記演算部Ｕ２とを接続し、必要に応じて前記コンピュータ端末と前記演算部Ｕ２との間で情報の転送を行う通信インタフェースＵ３と、
記憶部Ｕ１０に登録されているデータベースＵ２ａの登録データと対比して、前記個別情報Ｓと前記個別情報６の相関を判定し、真偽判定結果を表示する表示部Ｕ６とを備えていることを特徴とする印刷物の真偽判定装置である。
【発明の効果】
【００２０】
本発明は、線画デザインを中心とする有価証券等、偽造防止用製品特有の高級感のあるデザインの印刷物において、背景模様を構成する基本図形の中心線に、任意の移動距離を適用することにより、印刷物に個別情報を付与できる。
【００２１】
線画デザインを中心とする有価証券等、偽造防止用製品特有の高級感のあるデザインの印刷物において、不可視の個別情報を含んだ背景模様と、可視の個別情報を含んだテキストとを同時に印刷し、それぞれの個別情報との相関の情報が、コンピュータ端末に接続された記憶部のデータベースに登録されていることにより、改ざんを困難にする印刷物とその真偽判定システムを提供できる。
【００２２】
既に印刷されている印刷面版ごとに異なる不可視の個別情報を備えた背景模様によって、この既にある不可視の個別情報と、あとから加えられる可視の個別情報との相関の情報が、コンピュータ端末に接続された記憶部のデータベースに登録されていることにより、改ざんを困難にする印刷物とその真偽判定システムを提供できる。
【００２３】
フィルム、ガラス、プラスチック板等、透明の素材に印刷したチェックシートを、同サイズの印刷面が略一致するように重ね合わせると、前記背景模様に含まれる前記個別情報と、前記テキストに含まれる前記個別情報との相関を容易に確認することができる。
【発明を実施するための最良の形態】
【００２４】
本発明は、図１の印刷物Ａ１に示す印刷物の作成方法とその読み取り方法である。印刷物Ａ１は不可視の個別情報Ｓを含んだ背景模様２を備え、前記背景模様２の他に、可視のテキスト５も併せて印刷しているものである。可視のテキスト５には、個別情報Ｓと同じ又は関連付けられる情報を有する個別情報６を含んでいる。以下に印刷物Ａ１において、個別情報Ｓ及び個別情報６とそれを認識する方法及びその装置を説明する。
【００２５】
（印刷物の作成装置）
本発明の機械読み取り用の印刷物の作成装置は、図２に示されたように、演算部Ｕ１、記憶部Ｕ２、通信インタフェース（ＩＦ）Ｕ３、入力部Ｕ４、印刷部Ｕ５、表示部Ｕ６を備えている。
【００２６】
演算部Ｕ１は、処理に必要な演算の全てを行うもので、解析部Ｕ１ａ、画像処理部Ｕ１ｂを有し、記憶部Ｕ２、通信インタフェースＵ３、入力部Ｕ４、印刷部Ｕ５、表示部Ｕ６に接続されている。
【００２７】
解析部Ｕ１ａは、入力された個別情報をもとにコンピュータで処理可能な個別情報Ｓ及び個別情報６の作成を行う。
【００２８】
画像処理部Ｕ１ｂは、個別情報Ｓを含む背景模様２の作成を行う。個別情報６を含むテキスト５の作成を行う。
【００２９】
記憶部Ｕ２は、演算部Ｕ１の演算に必要な各種データ及びその演算結果及び個別情報Ｓと個別情報６の相関を登録するためのデータベースＵ２ａと、あらかじめ登録されている背景模様２のデータベースＵ２ｂと、テキスト５のデータベースＵ２ｃとで構成されている。
【００３０】
通信インタフェースＵ３は、図示されていないコンピュータ端末と演算部Ｕ１とを接続し、必要に応じてコンピュータ端末と演算部Ｕ１との間で情報の転送を行う。
【００３１】
入力部Ｕ４は、例えば操作パネル等を備えており、操作者からの入力を受け付けて操作内容を演算部Ｕ１に与える。
【００３２】
印刷部Ｕ５は、個別情報が配置されたものを印刷し印刷物等の印刷物を得る。例えば、レーザー・プリンタ、インクジェット・プリンタ、フィルム・セッタ、プレート・セッタ、オンデマンド印刷機等を印刷部Ｕ５に用いることができる。
【００３３】
表示部Ｕ６は、例えばＣＲＴ、液晶ディスプレイ、プリンタ等を少なくとも一つ有し、操作者に必要な情報を表示する。
【００３４】
（印刷物の作成方法の実施例１）
本実施例は、個別情報を有する背景模様と個別情報を有するテキストを同時印刷する機械読み取り用の印刷物の作成方法である。
【００３５】
図３は印刷物の作成方法の処理フローチャートを示すものである。まず、ステップｆ１において個別情報の入力を入力部Ｕ４にて行う。個別情報とは様々な情報があるが、本例では「０１２３４５６７８９」の１０桁の数字とした。次にステップｆ２では、前記個別情報を解析部Ｕ１ａにてコード化し、コンピュータで処理可能な個別情報Ｓを自動処理で作成する。同時にステップｆ３では、前記個別情報を解析部Ｕ１ａにてコード化し、コンピュータで処理可能な個別情報６を自動処理で作成する。前記したように個別情報が「０１２３４５６７８９」の１０桁の数字であった場合においても、個別情報Ｓと個別情報６とで同じ数字や文字列の情報を用いても良いし、また、任意の関数にて変換しそれぞれ異なる数字や文字列の情報を用いても良い。ステップｆ４では、個別情報Ｓと個別情報６の相関を記憶部Ｕ２のデータベースＵ２ａに登録する。この登録データは印刷物の真偽判定に必要なものとなる。更にステップｆ５では、背景模様２を記憶部Ｕ２のデータベースＵ２ｂから読み込む。並行してステップｆ６ではテキスト５を記憶部Ｕ２のデータベースＵ２ｃから読み込むステップｆ７のイメージング３の処理によって画像処理部Ｕ１ｂが個別情報Ｓを含む背景模様の作成を行う。ステップｆ７のイメージング３の処理については後述にて詳細に説明する。
【００３６】
ステップｆ７のイメージング３の処理と並行して、ステップｆ８では画像処理部Ｕ１ｂが個別情報６を可視のテキスト５の中に挿入する。最後に、ステップｆ９において、印刷部Ｕ５が個別情報Ｓを含む背景模様２の印刷と、ステップｆ１０の個別情報６を含むテキスト５を印刷する。
【００３７】
（印刷物の作成方法の実施例２）
本実施例は、背景模様に不可視の個別情報があらかじめ備わった印刷物に、可視の個別情報を含むテキストを印刷する機械読み取り用の印刷物の作成方法である。
【００３８】
テキスト印刷で発行される証明書類は、基本的に同じ背景模様に異なる情報から成るテキストで構成されている。図４は、別途プリプレス工程等を介して印刷された印刷物Ｐの背景模様２を一見同じ模様に見せておいて、実際は面版ごとに違う個別情報Ｓが備わっている。本実施例では１０面なので、少なくとも１０種類の情報が個々の背景模様２にそれぞれ備わっていることになる。
【００３９】
次に図５の示すように、ステップｆ１の個別情報を入力部Ｕ４にて入力する。次にステップｆ３では、前記個別情報を解析部Ｕ１ａにてコード化し、コンピュータで処理可能な個別情報６を自動処理で作成する。併せて、ステップｆ１１では図４の印刷物Ｐの画像情報を、図６に示す読み取り部Ｕ８にて取得する。更に図６に示す解析部Ｕ９ａにてステップｆ１２のイメージング１の処理によって、印刷物Ｐに含まれる個別情報Ｓを図６に示す画像処理部Ｕ９ｂにて抽出する。図６に示す読み取り部Ｕ８、解析部Ｕ９ａ、画像処理部Ｕ９ｂ及びステップｆ１２のイメージング１の処理については後述にて詳細に説明する。
【００４０】
次にステップｆ４では、図７に示すように個別情報Ｓと個別情報６の相関を図２に示す記憶部Ｕ２のデータベースＵ２ａに登録する。この登録データは印刷物の真偽判定に必要なものとなる。ステップｆ６ではテキスト５を記憶部Ｕ２のデータベースＵ２ｃから読み込む。ステップｆ７では画像処理部Ｕ１ｂが個別情報６を可視のテキスト５の中に挿入する。最後に、ステップｆ１４において、印刷部Ｕ５が個別情報Ｓを含むテキスト５を図４のように印刷物Ｐに印刷する。これにより、この既に印刷されている印刷面版ごとに異なる個別情報Ｓを備えた背景模様２によって、この既にある個別情報Ｓと、あとから加えられる個別情報６との相関が、改ざん等の偽造防止策として有効作用するものである。
【００４１】
次に、情報付与によって印刷した印刷物中の個別情報を判定する装置とその方法を説明する。個別情報を判定する装置とその方法は、チェックシートと呼ばれる補助具を用いて目視で確認するものや、コンピュータ画像処理を用いて機械的に確認するものがある。以下代表的な装置とその方法について説明する。
【００４２】
（印刷物の真偽判定装置）
先ず、コンピュータ画像処理による確認方法による、印刷物Ａ１また、は印刷物Ｐの真偽判定の際に用いる機械読み取り用の印刷物の真偽判定装置について説明する。
【００４３】
図６に機械読み取り用の印刷物の真偽判定装置の構成を示す。本装置は、演算部Ｕ９、記憶部Ｕ１０、通信インタフェースＵ３、入力部Ｕ４、搬送部Ｕ７、表示部Ｕ６、読み取り部Ｕ８を備える。
【００４４】
演算部Ｕ９は、図示されてないコンピュータ端末と通信インタフェースＵ３を介して接続されており、必要に応じて情報を送受信する。この演算部Ｕ９は、解析部Ｕ９ａ、画像処理部Ｕ９ｂ、判定部Ｕ９ｃを有し、通信インタフェースＵ３、記憶部Ｕ１０、入力部Ｕ４、搬送部Ｕ７、表示部Ｕ６、読み取り部Ｕ８とそれぞれ接続されている。
【００４５】
記憶部Ｕ１０は、読み取り処理に必要なデータや処理結果等を格納する。
【００４６】
搬送部Ｕ７は、真偽判定を行う必要のある図示されていない印刷物Ａ１を与えられて搬送し、読み取り部Ｕ８に供給する。
【００４７】
読み取り部Ｕ８は、例えばスキャナ等を内蔵する。搬送部Ｕ７によって搬送されてきた印刷物Ａ１の表面上を、スキャナを用いて走査し、画像情報を取得する。
【００４８】
取得された画像情報に含まれる個別情報に対し、解析部Ｕ９ａが印刷物Ａ１また、は印刷物Ｐの画像情報のアフィン変換等の前処理を実施し、印刷物Ａ１また、は印刷物Ｐの画像情報が画像処理部Ｕ９ｂで処理できる画像形態に整える。後述する基本図形のテンプレートＢ２を記憶部Ｕ２から読み込む。
【００４９】
画像処理部Ｕ９ｂは、個別情報Ｓ及び個別情報６の抽出を行う。
【００５０】
判定部Ｕ９ｃは、真正な印刷物において存在する個別情報Ｓと個別情報６の相関が、記憶部Ｕ１０に登録されているデータベースＵ２ａの登録データと対比して、その真偽の判定を行う。表示部Ｕ６にて真偽判定結果を表示する。
【００５１】
図２に示された装置と同一の要素には、同一の番号を付して説明を省略する。
【００５２】
（印刷物の真偽判定方法）
このような構成を備えた装置を用いて、機械読み取り用の印刷物の真偽判定を行う手順について図８のフローチャートを用いて説明する。
【００５３】
ステップｆ１５として、搬送されてきた印刷物Ａ１また、は印刷物Ｐ上の背景模様２を、読み取り部Ｕ８が例えば４００ｄｐｉの解像度で走査して画像情報を取得する。
【００５４】
ステップｆ１２において、イメージング１の処理を解析部Ｕ９ａが実行する。並行してステップｆ１６において、イメージング２の処理を解析部Ｕ９ａが実行する。
【００５５】
ステップｆ１３として画像処理部Ｕ９ｂが個別情報Ｓを抽出し、同時にステップｆ１７として画像処理部Ｕ９ｂが個別情報６を抽出する。
【００５６】
次にステップｆ１８において、個別情報Ｓと個別情報６をデータベースの登録データと照会を行い、ステップｆ１９として、抽出された背景模様２に含まれる個別情報Ｓと、可視のテキスト５に含まれる個別情報６とが相関しているか否か、判定部Ｕ９ｃが判定する。
【００５７】
そして、両者の相関が成立していることを確認できた場合ステップｆ２０へ移行して当該印刷物Ａ１は真正な印刷物であると判定し、確認できない場合はステップｆ２１へ移行して当該印刷物Ａ１は偽造物であると判定する。
【００５８】
このような本実施の形態に従い、印刷物Ａ１上の個別情報Ｓ及び個別情報６を読み取ることで、真正な印刷物Ａ１と偽造されたものとを容易に判定することができる。
【００５９】
（個別情報の付与方法）
本発明の印刷物は図１に示すものであるが、背景模様２の基本図形は図１４（１）に示す形態を成すものである。まず、複数の直線及び曲線を組み合わせた背景模様２の形態を有する基本図形１を用意する。基本図形１は、ベジエ曲線、また、はスプライン曲線、また、はベクターデータ等で形成された曲線及び直線から成り、コンピュータで処理可能な図形データである。なお、基本図形１にはコンピュータのアルゴリズムに従って、第１の領域と第２の領域が設けられる。即ち、図１４（２）に示すように背景領域Ｇ１と、任意の個別情報Ｓから成る情報領域Ｇ２がコンピュータの演算処理によって設定される。
【００６０】
前記基本図形１に情報を付与する方法は図３に示す通りである。図３のステップｆ７のイメージング３は、図９に示す処理によって行われるものである。なお、基本図形１は市販の線画デザインソフトウェア等を用いて作成しても良い。線画デザインソフトウェア等を用いて作成した図形データは、一般的にオブジェクト指向から成るデータ構造を有し、基本図形１は複数の直線及び曲線を組み合わせた線画オブジェクトＯｂ１、Ｏｂ２・・・・Ｏｂｍで構成している。
【００６１】
先ず、線画オブジェクトＯｂには、基本図形１の形状ｋ１、ｋ２・・・・ｋｍと、中心線からの移動距離Ｍと、画線幅Ｗ１、Ｗ２・・・・Ｗｍとを含むもので、本例ではＯｂ［ｋ，Ｍ，Ｗ］と仮定する。まず、ステップｆ１において個別情報Ｓの入力を行う。次に、ステップｆ２２では、個別情報Ｓを基本図形１上に形成する情報領域Ｇ２に変換する。これにより、基本図形１は背景領域Ｇ１と情報領域Ｇ２に区分けされ、データベースから読み込まれた基本図形１に含まれる線画オブジェクトＯｂ１、Ｏｂ２・・・・Ｏｂｍをメモリーに記録する。次に、ステップｆ２３において、線画オブジェクトＯｂの中心線からの移動距離Ｍの設定を行う。次に、ステップｆ２４において、移動距離Ｍの適用部分に適用処理を行う。
【００６２】
ステップｆ２４は、主に次のような６種類の処理が適時選択され実行される。ステップｆ２４の適用処理で必須なのは、情報領域Ｇ２に形成している線画オブジェクトＯｂに移動距離Ｍを適用した場合においても、個々の線画オブジェクトＯｂ同士の最短距離を、移動距離Ｍを適用する前の状態と略同じ距離に保つことである。
【００６３】
図１０は、情報領域Ｇ２の中での線画オブジェクトＯｂの変化のバリエーションを示すものである。なお、線画オブジェクトＯｂには開図形と閉図形があり、その組合せによっても異なる処理が適用されるものである。
【００６４】
図１０（１）は、線画オブジェクトＯｂｉとその次に並ぶ線画オブジェクトＯｂｉ＋１から成る開図形同士の組合せを示したものである。線画オブジェクトＯｂｉにおいて点ａと点ｂを結ぶ傾きと、線画オブジェクトＯｂｉ＋１において点ｃと点ｄを結ぶ傾きの差が９０度以下の角度であるとき、移動距離Ｍは、線画オブジェクトＯｂｉと線画オブジェクトＯｂｉ＋１とも中心線に対し略同じ法線方向である。これにより、線画オブジェクトＯｂｉと線画オブジェクトＯｂｉ＋１との最短距離Ｌ１と、移動距離Ｍを適用した後の最短距離Ｌ２は略同じ距離を保っている。また、最短距離Ｌ２を略同じ距離で保てれば良いため、中心線に対し図１０（１）とは逆の法線方向に移動距離Ｍを適用しても良い。
【００６５】
図１０（２）は図１０（１）と同様に、線画オブジェクトＯｂｉとその次に並ぶ線画オブジェクトＯｂｉ＋１から成る開図形同士の組合せを示したものである。線画オブジェクトＯｂｉと線画オブジェクトＯｂｉ＋１は交差の関係にあって、線画オブジェクトＯｂｉにおける点ａと点ｄの傾きと、線画オブジェクトＯｂｉ＋１における点ｃと点ｂの傾きの差が９０度以下の角度のとき、なおかつ線画オブジェクトＯｂｉと線画オブジェクトＯｂｉ＋１の交差点Ｐ１と、線画オブジェクトＯｂｉの点ａと、線画オブジェクトＯｂｉ＋１の点ｂから成る扇形の領域内に、交差点Ｐ２が設定されるように、線画オブジェクトＯｂｉと線画オブジェクトＯｂｉ＋１とも中心線からの法線方向に移動距離Ｍを適用させるものである。また、図１０（２）とは逆に、交差点Ｐ１と、線画オブジェクトＯｂｉの点ｄと、線画オブジェクトＯｂｉ＋１の点ｃから成る扇形の領域内に、交差点Ｐ２が設定を設定しても良い。
【００６６】
図１０（３）は、開図形と閉図形を組み合わせた例で、開図形の線画オブジェクトＯｂｉとその次に並ぶ閉図形の線画オブジェクトＯｂｉ＋１の組合せを示したものである。線画オブジェクトＯｂｉと線画オブジェクトＯｂｉ＋１との最短距離Ｌ１を、移動距離Ｍを適用したあとも最短距離Ｌ２を略同じ距離に保つため、移動距離Ｍの適用によって開図形である線画オブジェクトＯｂｉが、閉図形である線画オブジェクトＯｂｉ＋１に近づいた場合、線画オブジェクトＯｂｉ＋１を中心線に対し法線方向に移動距離Ｍを閉図形の内側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。また、移動距離Ｍの適用によって開図形である線画オブジェクトＯｂｉが、閉図形である線画オブジェクトＯｂｉ＋１と離れた場合、図１０（３）とは逆に線画オブジェクトＯｂｉ＋１を中心線に対し法線方向に移動距離Ｍを閉図形の外側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。
【００６７】
図１０（４）は、図１０（３）と同じく開図形と閉図形を組み合わせた例で、開図形の線画オブジェクトＯｂｉと閉図形の線画オブジェクトＯｂｉ＋１が重なるような組合せを示したものである。線画オブジェクトＯｂｉと線画オブジェクトＯｂｉ＋１との最短距離Ｌ１を、移動距離Ｍを適用したあとも最短距離Ｌ２が略同じ距離に保つため、開図形である線画オブジェクトＯｂｉが中心線の法線方向に移動距離Ｍの適用によって、閉図形である線画オブジェクトＯｂｉ＋１に近づいた場合、線画オブジェクトＯｂｉ＋１を中心線に対し法線方向に移動距離Ｍを閉図形の外側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。
【００６８】
図１０（５）は、線画オブジェクトＯｂｉとその次に並ぶ線画オブジェクトＯｂｉ＋１から成る閉図形同士の組合せを示したものである。線画オブジェクトＯｂｉと線画オブジェクトＯｂｉ＋１との最短距離Ｌ１を、移動距離Ｍを適用したあとも最短距離Ｌ２を略同じ距離に保つため、閉図形から成る線画オブジェクトＯｂｉを中心線に対し法線方向に移動距離Ｍを閉図形の外側に適用することによって、閉図形から成る線画オブジェクトＯｂｉ＋１に近づいた場合、線画オブジェクトＯｂｉ＋１を中心線に対し法線方向に移動距離Ｍを閉図形の内側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。また、閉図形から成る線画オブジェクトＯｂｉを中心線に対し法線方向に移動距離Ｍを閉図形の内側に適用することによって、閉図形から成る線画オブジェクトＯｂｉ＋１に近づいた場合、図１０（３）とは逆に線画オブジェクトＯｂｉ＋１を中心線に対し法線方向に移動距離Ｍを閉図形の外側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。
【００６９】
図１０（６）は、線画オブジェクトＯｂｉとその次に並ぶ線画オブジェクトＯｂｉ＋１から成る閉図形同士の組合せであり、線画オブジェクトＯｂｉと線画オブジェクトＯｂｉ＋１の一部が重なった状態を示したものである。線画オブジェクトＯｂｉと線画オブジェクトＯｂｉ＋１との最短距離Ｌ１を、移動距離Ｍを適用したあとも最短距離Ｌ２を略同じ距離に保つため、閉図形から成る線画オブジェクトＯｂｉを中心線に対し法線方向に移動距離Ｍを閉図形の外側に適用することによって、閉図形から成る線画オブジェクトＯｂｉ＋１から離れた場合、線画オブジェクトＯｂｉ＋１を中心線に対し法線方向に移動距離Ｍを閉図形の内側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。また、閉図形から成る線画オブジェクトＯｂｉを中心線に対し法線方向に移動距離Ｍを閉図形の内側に適用することによって、閉図形から成る線画オブジェクトＯｂｉ＋１から離れた場合、図１０（３）とは逆に線画オブジェクトＯｂｉ＋１を中心線に対し法線方向に移動距離Ｍを閉図形の外側に適用する。これにより、線画オブジェクトＯｂｉと線画オブジェクトＯｂｉ＋１との最短距離Ｌ１と、移動距離Ｍを適用した後の最短距離Ｌ２は略同じ距離を保っている。
【００７０】
個別情報Ｓの図形輪郭線に接する部分の線画オブジェクトＯｂの処理は、図１０に示したように移動距離Ｍに準じて法線方向に垂直に移動しても良いが、本発明の効果を一層向上させるため、図１１（１）に示すように、任意の角度を有する直線を加えて移動させても良い。また、図１１（２）に示すように、任意の曲率を有する曲線を用いても良い。
【００７１】
個別情報Ｓの図形輪郭線に接する線画オブジェクトの接点の処理は、図１０に示したように移動距離Ｍに準じて中心線に対し垂直に移動しても良いが、本発明の効果を一層向上させるため、図１１（１）に示すように、任意の角度を有する直線を加えて移動させても良い。また、図１１（２）に示すように、任意の曲率を有する曲線を用いても良い。
【００７２】
図１２は曲線の基本図形１に個別情報Ｓを施した状態を示したものである。基本図形１は図９のステップｆ２４に示す移動距離Ｍの適用処理に従って、個別情報Ｓの情報領域境界線ＳＳの範囲にある線画オブジェクトＯｂをその中心線Ｃより移動距離Ｍだけ移動する。
【００７３】
図１は、この処理によって得た情報付与済み背景模様２を示した印刷物Ａ１である。印刷物Ａ１は例えば横サイズ１５０ｍｍ程度に収めるように印刷し、画線幅Ｗは例えば０．１ｍｍ程度を設けている。情報付与済み背景模様２は、図３のステップｆ９によって線画オブジェクトを含む背景模様２の印刷を可能にするものである。また、移動距離Ｍを小さくすると、個別情報Ｓを目視で確認することができ、移動距離Ｍを大きくすると、個別情報Ｓを目視で確認することができる。なお、この移動距離Ｍの加減については、印刷物の使用目的に応じて設定するものであり、本発明が意図するものではない。
【００７４】
また、印刷物Ａ１には、個別情報Ｓを含んだ背景模様２の他に、可視のテキスト５も同時に印刷する。可視のテキスト５には、個別情報Ｓと同じ情報を有する個別情報６を含めて印刷する。即ち、背景模様２に含まれる個別情報Ｓと、可視のテキスト５に含まれる個別情報６とが相関することにより、印刷物Ａ１が真正物であることを証明するものである。
【００７５】
（補助具による真偽判定方法）
図１３に示すチェックシートＢ１は、図１４（１）の基本図形１の形状をもとに印刷した図１の印刷物Ａ１と同じ横サイズ１５０ｍｍ、同じ画線幅Ｗ０．１ｍｍで印刷した背景模様３を有し、フィルム、ガラス、プラスチック板等、透明の素材に印刷したものである。図１５に示すように、印刷物Ａ１の上にチェックシートＢ１を、同サイズの印刷面が略一致するように重ね合わせると、図１６に示すように背景模様２と背景模様３において、個別情報Ｓの情報領域境界線ＳＳの外側は同じ図形として重なるが、情報領域境界線ＳＳの内側は重ならない。これによって、個別情報Ｓ部は見た目の濃度差が発生し、目視で容易に付与されている情報を確認することができる。
【００７６】
即ち、チェックシートＢ１による確認方法によって、印刷物Ａ１における背景領域Ｇ１と情報領域Ｇ２に相違が生じ、これによって個別情報Ｓを目視することにより、背景模様２に含まれる個別情報Ｓと、可視のテキスト５に含まれる個別情報６とが相関しているか否か確認することで、印刷物Ａ１の真偽判定を行うことができる。
【００７７】
（個別情報の読み取りアルゴリズム）
コンピュータ画像処理による確認方法による、印刷物Ａ１また、は印刷物Ｐの真偽判定の際に用いる装置について個別情報の読み取りアルゴリズムについて説明する。基本的なアルゴリズムは図８に示す通りである。図８のステップｆ１６のイメージング２は、図１７に示す処理によって行われるものである。ステップｆ２５において、取得した印刷物Ａ１の画像情報のアフィン変換を解析部Ｕ９ａが実行する。
【００７８】
ステップｆ２６として、解析部Ｕ９ａが基本図形のテンプレートＢ２を記憶部Ｕ１０のデータベースＵ１０ａから読み込む。
【００７９】
ステップｆ２７として、画像処理部Ｕ９ｂが基本図形のテンプレートＢ２と印刷物Ａ１の画像情報のマッチングを行う。画像情報のマッチングは、例えばテンプレート・マッチングと呼ばれる公知の画像処理方法を適用しても良い。基本図形のテンプレートＢ２は、図１８に示すような基本図形１の形状をもとにした画像情報４からなり、印刷物Ａ１の画像情報と同じ解像度で記憶部Ｕ２に記録されたもので、例えば２値画像等の画像形式によるデジタルデータである。このテンプレート・マッチングによって図１９に示すような処理画像が現出する。
【００８０】
ステップｆ１３において、図１９の処理画像から、画像処理部Ｕ９ｂが個別情報Ｓを抽出する。
【００８１】
一方、図８のステップｆ１６のイメージング２は、図２０に示す処理によって行われるものである。ステップｆ２８においては、解析部Ｕ９ａがステップｆ１５で取得した印刷物Ａ１の画像情報からテキスト５に含まれる個別情報６部分の切り出しを行う。
【００８２】
ステップｆ２９において、画像処理部Ｕ９ｂがステップｆ２８にて切り出されたテキスト５に含まれる個別情報６部分を、例えばＯＣＲ、バーコード等の公知の光学式読み取り処理を行う。
【図面の簡単な説明】
【００８３】
【図１】本発明の印刷物Ａ１を示した図。
【図２】本発明の機械読み取り用の印刷物の作成装置を示した図。
【図３】本発明の機械読み取り用の印刷物の作成方法のフローチャートを示した図。
【図４】面版ごとに違う個別情報Ｓが備わっている背景模様を有する印刷物Ｐを示した図。
【図５】背景模様に不可視の個別情報があらかじめ備わった印刷物に、可視の個別情報を含むテキストを印刷する印刷物の作成方法のフローチャートを示した図。
【図６】本発明の機械読み取り用の印刷物の真偽判定装置を示した図。
【図７】記憶部Ｕ２の相関をデータベースＵ２ａに登録する個別情報Ｓと個別情報６の相関を示した図。
【図８】機械読み取り用の印刷物の真偽判定を行う手順を説明するフローチャートを示した図。
【図９】ステップｆ７のイメージング３の処理の詳細を示した図。
【図１０】情報領域Ｇ２の中での線画オブジェクトＯｂの変化のバリエーションを示した図。
【図１１】移動距離Ｍに準じて法線方向に垂直に移動する形態を示した図。
【図１２】曲線の基本図形１に個別情報Ｓを施した状態を示した図。
【図１３】基本図形１の形状をもとに印刷したチェックシートＢ１を示した図。
【図１４】背景模様２の形態を有する基本図形１と背景領域Ｇ１と任意の個別情報Ｓから成る情報領域Ｇ２を示した図。
【図１５】印刷物Ａ１の上にチェックシートＢ１を、同サイズの印刷面が略一致するように重ね合わせた状態を示した図。
【図１６】個別情報Ｓ部の見た目の濃度差が発生している状態を示した図。
【図１７】ステップｆ１６のイメージング２の処理の詳細を示した図。
【図１８】基本図形のテンプレートＢ２を示した図。
【図１９】テンプレート・マッチングによって現出した処理画像を示した図。
【図２０】ステップｆ１６のイメージング２の処理の詳細を示した図。
【図２１】背景領域ａ１と潜像領域ａ２にそれぞれ異なるモアレ現象で目視による真偽判定を示した図。
【符号の説明】
【００８４】
１            基本図形
２            背景模様
３            背景模様
４            画像情報
５            テキスト
６            個別情報
Ａ            線画地紋模様
Ａ”            線画地紋模様
Ａ１            印刷物
ａ            点
ａ１            背景領域
ａ２            潜像領域
Ｂ            線画地紋模様
ｂ            点
Ｂ１            チェックシート
Ｂ２            テンプレート
Ｃ            中心線
ｃ            点
ｄ            点
Ｇ            情報領域
Ｇ１            背景領域
Ｇ２            情報領域
ｋ１            形状
Ｌ１    最短距離
Ｌ２    最短距離
Ｍ            移動距離
Ｏｂ            線画オブジェクト
Ｏｂ１            線画オブジェクト
Ｐ            印刷物
Ｐ１            印刷物
Ｐ２            チェックシート
ｐ１            交差点
ｐ２            交差点
Ｓ            個別情報
ＳＳ            情報領域境界線
Ｕ１            演算部
Ｕ１０            記憶部
Ｕ１０ａ          データベース
Ｕ１ａ            解析部
Ｕ１ｂ            画像処理部
Ｕ２            記憶部
Ｕ２ａ            データベース
Ｕ２ｂ            データベース
Ｕ２ｃ            データベース
Ｕ３            通信インタフェース
Ｕ４            入力部
Ｕ５            印刷部
Ｕ６            表示部
Ｕ７            搬送部
Ｕ８            読み取り部
Ｕ９            演算部
Ｕ９ａ            解析部
Ｕ９ｂ            画像処理部
Ｕ９ｃ            判定部
Ｗ            画線幅
Ｗ１            画線幅
【図１】
2007233549.tif 000003
【図２】
2007233549.tif 000004
【図３】
2007233549.tif 000005
【図４】
2007233549.tif 000006
【図５】
2007233549.tif 000007
【図６】
2007233549.tif 000008
【図７】
2007233549.tif 000009
【図８】
2007233549.tif 000010
【図９】
2007233549.tif 000011
【図１０】
2007233549.tif 000012
【図１１】
2007233549.tif 000013
【図１２】
2007233549.tif 000014
【図１３】
2007233549.tif 000015
【図１４】
2007233549.tif 000016
【図１５】
2007233549.tif 000017
【図１６】
2007233549.tif 000018
【図１７】
2007233549.tif 000019
【図１８】
2007233549.tif 000020
【図１９】
2007233549.tif 000021
【図２０】
2007233549.tif 000022
【図２１】
2007233549.tif 000023